(57)【要約】【課題】  ビスをドライバ−軸の先端に機械的に挟持してビスの脱落を防止し作業効率を上げる。【解決手段】  六角形からなるドライバ−軸の先端が軸より外形が大きいクロスビットと、該ドライバ−軸に挿入した筒型チャック先端が円周上に離間して窓と数個の爪を設け後端が該ドライバ−軸方向に移動自在なドライバ−軸挟持部を形成した該筒型チャックと、該筒型チャックの外側に先端が摩擦面とチャック先端を絞る数個の折曲部と後端がチャック後端を把持する把持部を形成した該筒型ホルダとで、ビス頭を挟み込むドライバ−用ビス保持具を使用することでビスの捻じ込みが容易になる。【選択図】図９
0003131577.tif 000002
【実用新案登録請求の範囲】
【請求項１】
多角形軸の先端が該多角形軸より外径が大きいクロスビットを形成したドライバ−軸と、該ドライバ−軸に挿入した先端が周縁部に離間して窓と数個の爪と後端が該ドライバ−軸方向に移動自在なドライバ−軸挟持部を形成された可撓性筒形チャックと、該可撓性筒形チャックの外側の先端が摩擦部と該可撓性筒形チャックの先端を絞る数個の折曲部と後端が前記ドライバ−軸挟持部を把持する回転自在な抱持部を形成した筒型ホルダとを設けたことを特徴とするドライバ−用ビス保持具。
【考案の詳細な説明】
【技術の分野】
【０００１】本考案はクロスドライバ−用ビス保持具に関する。
【背景技術】  従来の技術では、クロスドライバ−でビスの着脱をする時のビス落下防止に多種のビス保持具が考えられている、ビットの先端を磁化してビスを保持するもの、ビットの先端を柔軟性のあるゴム管で被覆してビス頭を抱え込むもの、トライバ−軸の把持体に爪を設けスライドしビス頭を挟み込むものが考えられている。【０００２】  これ等のものはある種の条件に適合するが、他の条件に不都合な場合が多く多種の条件要求を満たすものがなかった。【０００３】  ビット先端を磁化してビスを保持する方法では磁石の吸着が弱く、吸着しない金属ビスは保持できず不具合が生じていた。【０００４】  又、ビットの先端を柔軟性のあるゴム管で被覆してビスの頭部に挿入する方法はビスをビットに装着する作業に時間を要し連続で多数のビス着脱作業には不向きである。【０００５】  そして、把持体方式は一時的に不要になった場合、把持体装置の爪や金具の凹凸が作業の妨げとなり不都合であった。【０００６】  これら夫々の欠点があり単一作業を除き、多種の作業には不向きで普及に至っていなかった。
【特許文献１】  実開平０５−００５３６６
【特許文献２】  実開平０５−０３９８６８
【考案の開示】
【考案が解決しようとする課題】
【０００７】  上記述べたようにこれらの問題に鑑み成されたもので、ビスを挟持体に装着するときは筒型ホルダを回転させ筒型チャック先端の爪でビスを挟持し、捻じ込み途中で負荷が加わってもクロスビットが浮き上がりビス溝の突起を削り傷めることがなく、ビスが捻じ込み完了する直前に筒型ホルダが取り付け壁に当接し回転が停止すれば、筒型チャック先端の爪が開放する機構である、又、筒型ホルダは小型でドライバ−軸方向に移動自在なので一時的に不要になったとき、先端ビットから手元に引き寄せることができるので作業の妨げとなることはなく、構造が簡単で安価なドライバ−用ビス保持具を提供することを目的とする。
【問題を解決するための手段】
【０００８】  多角形軸の先端が該多角形軸より外径が大きいクロスビットを形成したドライバ−軸と、該ドライバ−軸に挿入し先端が周縁部を離間して窓と数個の爪と後端が該ドライバ−軸方向に移動自在なドライバ−軸挟持部を形成した可撓性筒形チャックと、該可撓性筒形チャックの外側に先端が摩擦部と該可撓性筒形チャックの先端を絞る数個の折曲部と後端が前記ドライバ−軸挟持部を把持する回転自在な抱持部を形成した筒型ホルダとを設けて問題点を解決している。
【考案の効果】
【０００９】  筒型ホルダが開放方向の回転が無ければビスの挟持作用が開放されず、捻じ込み途中で負荷が加わってもクロスビットが浮き上がりビス溝の突起を削り傷めることがなく、ビスのツバ部が取り付け壁に当接する直前に筒型チャックの爪を開放する構造なので動力駆動ドライバ−では、作業を中断して筒型チャック爪の開放操作をする必要がなく極めて能率が良い。
【００１０】  狭所の捻じ込み作業で取り付け壁に当接する直前に筒型チャックの爪が開放する構造なので作業を中断して筒型チャック先端の爪を開放操作する必要がない。
【００１１】  構造が簡単小型でビス保持具の外周に突起がなく、一時不用のとき筒型ホルダをクロスビット先端からドライバ−軸の手元に移動自在なので都合が良い。
【考案を実施するための最良の形態】
【００１２】  六角軸（本考案は六角軸とし右後端の把持部、動力駆動部は図示せず）からなるドライバ−軸の左先端に該ドライバ−軸より外径が大きなクロスビットを設け、該六角軸のドライバ−軸に挿入した、左先端の円周上に離間して窓とビス頭を挟む数個の爪を形成し右後端に前記ドライバ−軸の方向に移動自在で回転しない六角軸挟持部を形成するバネ鋼製の筒型チャックと、該筒型チャックの外側に左先端に数個の摩擦部と先端を絞る折曲部と右後端に筒型チャック右後端の六角軸挟持部を把持する把持部を形成した筒型ホルダで、該筒型チャック爪のビス挟持の反力でクロスビットの肩と六角軸挟持部の左側を当接させ、前記筒型ホルダを右又は左に回転させることで筒型チャック先端の爪を開閉するようにした。
【実施例】
【００１３】  以下、添付図面に従って実施例を説明する、図１は本考案図２の３クロスビットを除くＡ−Ａ切断図を表し、４六角軸の左先端が該４六角軸より外径の大きい３クロスビットを設ける、該４六角軸に挿入した２筒型チャックが左先端に３箇所の２ａ爪を形成し、該２ａ爪はビス挟持反力で前記３クロスビットの３ａ肩と当接するようにし、右後端に３箇所の２ｂ六角軸挟持部を形成している、該２ｂ六角軸挟持部は前記４六角軸を挟持し、軸方向には移動自在で回転方向には回転しない、そして前記２筒型チャックの外側に１筒型ホルダを設け左先端が１ａ先端と１ｄ摩擦部が形成され、該２筒型チャック右後端の２ｂ六角軸挟持部を把持する１ｂ抱持部を設け、２筒型チャックと共に軸方向に移動自在で２ｂ六角軸挟持部の外側を回転する。【００１４】  図２は図１の左側面図を表し、１筒型ホルダと２筒型チャックと３クロスビットを正面から見た図で、該１筒型ホルダの３箇所の１ｃ折曲部と１ｄ摩擦部と、該２筒型チャック先端３箇所の２ａ爪を表す、図３は図１の右側面図で、前記１筒型ホルダは１ｂ抱持部で３箇所の２ｂ六角軸挟持部を抱持し回転方向に回転する、該２ｂ六角軸挟持部は４六角軸を３方から挟持して該４六角軸の軸方方向には移動自在で回転しない構造である【００１５】  図４は１筒型ホルダの斜視図で３箇所の１ａ先端と１ｃ折曲部と１ｄ摩擦部と１ｅ切目を表し、図５は図４のＢ−Ｂ矢視で３箇所の１ａ先端の１ｂ抱持部と１ｃ折曲部と１ｄ摩擦部と１ｅ切目を表す。【００１６】  図６は筒状になった２筒型チャックの斜視図で本考案ではバネ鋼板を使用し、先端に３箇所の２ａ爪と２ｃ窓が設けられ、該２ａ爪が１ｃ折曲部で内側に押されてもバネの付勢力で戻される、後端には２ｂ六角軸挟持部を設けている、図７は図６のＣ−Ｃ矢視で２筒型チャック後端の３箇所の２ｂ六角軸挟持部と２ｃ窓と１箇所の２ｄ合わせ目を表し、該２ｂ六角軸挟持部は４六角軸の３面の内側にバネ力で付勢し、１筒型ホルダ内に該２ｄ合わせ目のバネ力で拡張付勢している。【００１７】  図８は２ａ爪の作用図で図２の１筒型ホルダを矢印方向に回転させた図で、３箇所の１ｃ折曲部で２ａ爪を内側に押し込みこの該２ａ爪で５ａツバを挟持する、図９は図８の３クロスビットを除く図８のＤ−Ｄ切断図を表し、１ｃ折曲部で前記２ａ爪を内側に押し込み前記５ａツバを挟持し４六角軸を矢印の方向に回転させ６取り付け壁に捻じ込む、この時捻じ込みに負荷が加わっても前記２ａ爪が５ビスの該５ａツバを挟持することで前記３クロスビットの３ａ肩を挟持する作用が働き該３クロスビットが浮き上がりビス溝の突起を削り傷めることがない。【００１８】  図１０は図２のＡ−Ａ切断面と捻じ込み５ビスを表し５ａツバが６取り付け壁に当接する直前を表し、該６取り付け壁に１ｄ摩擦面が当接し１筒型ホルダの回転を停止すると、その作用で該１筒型ホルダの１ｃ折曲部を開放方向に回転すると同じ作用が働き１ｃ折曲部で挟持していた２ａ爪を開放し付勢力で５ａツバの挟持を開放する、そして前記５ビスがなお捻じ込まれると、１筒型ホルダの１ａ先端の当接反力で１筒型ホルダ内の２筒型チャックが４六角軸を後退し２ｂ六角軸挟持部は３ａ段差から離れ、３クロスビットは前進し５ビスの捻じ込みが完了する。【００１９】  ５ビスを捻じ込み中２ａ爪が５ａツバを強固に挟持しているので捻じ込み途中で負荷が加わりクロスビットが浮き上がりビス溝の突起を削り傷めることがない。【００２０】  １筒型ホルダの内側に永久磁石を装着すれば、より容易に５ビスを装着することができる。【００２１】  ビス保持具は外周に突起が無いので使用しない時は移動して４六角軸に沿い手元に引き寄せて使用できるので不都合はない。【００２２】  ドライバ−軸の断面角数は各多角形の製作が可能であるが本考案は動力駆動ドライバに最適に装着できる六角軸としている。
【産業上の利用可能性】
【００２３】
【００２４】  本考案に関わるドライバ−用ビス保持具は工業製品として量産することが可能なため産業上の利用可能性を有する。
【図面の簡単な説明】
【００２５】
【図１】本考案の図２のＡ−Ａ矢視主要断面図
【図２】本考案の図１左側面図
【図３】本考案の図１右側面図
【図４】本考案の筒型ホルダの斜視図
【図５】本考案の図４のＢ−Ｂ矢視図
【図６】本考案のチャックの斜視図
【図７】本考案の図６のＣ−Ｃ矢視図
【図８】本考案の図２のチャック作用図
【図９】本考案の図８のＤ−Ｄ矢視作動主要断面図
【図１０】本考案の図９の作用完了直前主要断面図
【符号の説明】
【００２６】    １・・・・筒型ホルダ
１ａ・・・先端
１ｂ・・・抱持部
１ｃ・・・折曲部
１ｄ・・・摩擦部
１ｅ・・・切目
２・・・・筒型チャック
２ａ・・・爪
２ｂ・・・六角軸挟持部
２ｃ・・・窓
２ｄ・・・合せ部
３・・・・クロスビット
３ａ・・・肩
４・・・・六角軸
５・・・・ビス
５ａ・・・ツバ
６・・・・取り付け壁
【図１】
0003131577.tif 000003
【図２】
0003131577.tif 000004
【図３】
0003131577.tif 000005
【図４】
0003131577.tif 000006
【図５】
0003131577.tif 000007
【図６】
0003131577.tif 000008
【図７】
0003131577.tif 000009
【図８】
0003131577.tif 000010
【図９】
0003131577.tif 000011
【図１０】
0003131577.tif 000012